(57)【要約】      （修正有）【課題】直管形の蛍光灯を商品陳列棚の下面側に架設する際に使用している従来のランプホルダーを用い、簡易な構造で，かつコスト的にも安価に入手できる樹脂製のホルダーを使用して直管型のＬＥＤ照明器具の両端を保持し、取付角度を簡単な操作で所望の向きに可変調整できるようにした陳列棚の照明器具の保持装置を提供する。【解決手段】陳列棚に載置する、直管型の照明器具の外周面上に、装着する環状の第１の被覆部材７と、前記第１の被覆部材７の外周面上に装着する第２の被覆部材８を備え、前記第１の被覆部材７には、外周面に突起を形成させ、第２の被覆部材の内周面には前記第１の被覆部材の突起と相対する形状の凹凸部を設け、さらに第２の被覆部材の外周面にはランプホルダーを装着する。【選択図】図１
2012200405.tif 000002
【特許請求の範囲】
【請求項１】
商品が収納されたる空間に設置される
直管型の照明器具の外周面上に、
装着する環状の第１の被覆部材と、
前記第１の被覆部材の外周面上に装着する第２の被覆部材により構成し、
前記第１の被覆部材の外周面に突起を設け、
前記第２の被覆部材は内周面に、前記第1の被覆部材の外周面の突起と相対する形状の複数の凹凸部を形成させ、さらに第２の被覆部材の外周面にはランプホルダーを装着することを特徴とする照明器具の保持装置。
【請求項２】
前記第２の被覆部材の内周面の凹凸部は、
照明器具の長手方向と平行に溝を形成させることを特徴とする
請求項1記載の照明器具の保持装置。
【請求項３】
前記第２の被覆部材の内周面の凹凸部の断面形状は矩形であることを特徴とする請求項１または請求項２記載の照明器具の保持装置。
【請求項４】
前記第２の被覆部材の内周面に形成する凹部または凸部は、第２の被覆部材断面の中心軸に対して８度から１２度の間隔で形成することを特徴とする請求項１から請求項３のいずれか記載の照明器具の保持装置。
【請求項５】
前記第１の被覆部材の外周面の突起は少なくとも２つ形成させる特徴とする請求項１記載の照明器具の保持装置。
【請求項６】
前記第１の被覆部材の外周面の突起を鋭角に形成したことを特徴とする請求項１または請求項５記載の照明器具の保持装置。
【発明の詳細な説明】
【技術分野】
【０００１】
本発明は、断熱壁を組み合わせて筐体を構成するとともに商品を収納且つ陳列する空間を有するショーケースなどの、商品を明るく見栄をよくするため陳列棚などの庫内に備える照明器具の保持装置に係わる。
【背景技術】
【０００２】
通常、スーパーマーケットやコンビニエンスストアなどの店舗に納められるショーケースでは、食料品などの商品を明るく見栄えよく陳列するため、例えばショーケースの収納庫内の天井側の冷気の吹出口付近や陳列棚の上方あるいは陳列棚の棚板の下裏側に、ケースの長手方向に沿って円筒状をなす照明器具が備え付けられている。
【０００３】
図３に、本発明の照明器具の保持装置が設置される代表例として多段形のオープンショーケースの全体図を示し、特にショーケースの収納庫と収納庫内の陳列棚や照明器具の配置関係を示している。
【０００４】
図３に記載の１は前面に開口部を有する断熱壁を組み合わせたショーケースの本体を、２は商品を陳列収納する庫内に冷気を供給するためのショーケース内の冷気循環風路を、３は前記冷気循環風路２に配置した冷却器を、４は冷気を供給し循環させるための送風ファンを、５は商品を載置し陳列するための陳列棚を、６はショーケース内の陳列棚上に載置し商品を明るく且つ見栄えよくするための照明器具をそれぞれ示している。
【０００５】
従来からショーケースでは、照明器具として直管型の蛍光灯が一般的に用いられ、この蛍光灯を陳列棚の下面側に架設して一段下の棚に載置した商品を上方から照らすようにしているが、最近になって省エネ指向から照明器具として、蛍光灯に代わり、高輝度ながら消費電力の少ないＬＥＤ（発光ダイオード）を光源として用いた照明器具が普及している。
【０００６】
例えば陳列棚では、ＬＥＤ光源の照明器具として、直管型の蛍光灯の代替が容易になるよう、複数のＬＥＤ素子を筒内に配列した直管型の照明器具が主に使用されるが、ＬＥＤを用いた照明器具では、配光性が他の光源に比べて指向性が高い特徴が知られており、直管型のＬＥＤ照明器具においても例外ではない。
【０００７】
一方、照明器具が設置される多段形のオープンショーケースの陳列棚は、上段から下段に高さ位置や取付け角度（傾斜角）が自在に配置できる構造であり、棚板の奥行き寸法も異なることが多く、各段の棚に並べる商品の種類、サイズ、陳列の仕方も異なるものである。
【０００８】
そのため、陳列商品の照明効果を高めるには、所望の商品位置や場所に向けてＬＥＤ照明器具からの放たれる光の照射角度を調整できることが望まれる。
【０００９】
そこで、このような角度調整方法として、商品陳列棚の下面側に架設する照明灯のランプホルダーの周上の一部を切欠いたＣ形リング体にライン型ＬＥＤ灯を嵌挿して所定位置に架設し、Ｃ形リング体の内周面にはライン型ＬＥＤ灯の輪郭角部が係合するノッチ溝列を形成してライン型ＬＥＤ灯の取付け角度を所望の角度に調整できる方法が開示されている。（引用文献１）
【特許文献１】特開２０１０-１５８３３７号公報
【発明の概要】
【発明が解決しようとする課題】
【００１０】
ところで、前記の特許文献１で開示されているＬＥＤ照明器具の角度を調整する方法は、細かく調節するには不安定なものであり、その他としてライン型ＬＥＤ灯に変えて直管型のＬＥＤ照明器具に変更する場合は対応できないことが生じる。
【００１１】
そのため、本発明は、上記の課題を解決するために考案されたものであり、直管型蛍光灯を商品陳列棚の下面側に架設するため設けた既設のランプホルダーを用い、簡易な構造でコスト的にも安価となる部材を使用して直管型のＬＥＤ照明器具の両端を保持する。
【００１２】
さらに取付け角度を簡単な操作で、直管型ＬＥＤ照明器具所望の向きに可変調整できるようにした陳列棚のＬＥＤ照明器具の保持装置を提供することにある。
【課題を解決するための手段】
【００１３】
上記目的を達成するために、本発明の照明器具の保持装置は第１に
商品が収納されたる空間に設置される直管型の照明器具の外周面上に
装着する環状の第１の被覆部材と、
前記第１の被覆部材の外周面上に装着する第２の被覆部材により構成し、
前記第１の被覆部材の外周面に突起を設け、
前記第２の被覆部材は内周面に、前記第1の被覆部材の外周面の突起と相対する計上の複数の凹凸部を形成させ、
さらに第２の被覆部材の外周面にはランプホルダーを装着することとする。
【００１４】
第２に、前記第２の被覆部材の内周面の凹凸部は、照明器具の長手方向と平行に溝を形成させる。
【００１５】
第３に、前記第２の被覆部材の内周面の凹凸部の断面形状は矩形としている。
【００１６】
第４に、前記第２の被覆部材の内周面に形成する凹部または凸部は、第２の被覆部材断面の中心軸に対して８度から１２度の間隔で形成させる。
【００１７】
第５に、前記第１の被覆部材の外周面の突起は少なくとも二つ設ける
第６に前記第１の被覆部材の外周面の突起を鋭角に形成した。
【発明の効果】
【００１８】
上記の請求項１の発明によると、商品が収納されたる空間に設置される直管型の照明器具の外周面上に、装着する環状の第１の被覆部材と、前記第１の被覆部材の外周面上に装着する第２の被覆部材により構成し、前記第１の被覆部材の外周面に突起を設け、
前記第２の被覆部材は内周面に、前記第1の被覆部材の外周面の突起と相対する計上の複数の凹凸部を形成させ、さらに第２の被覆部材の外周面にはランプホルダーを装着することにより、容易な構造により、管状の照明器具に対しその両端を保持できる。
【００１９】
また、直管型の照明器具を回転自在に保持できるため、ＬＥＤ照明が有する配光性に応じて角度調整が可能であり、特にショーケースの陳列棚に取付けられた照明器具では、高さや幅方向が異なる位置にある場合であっても、光の向きの調節が第１の被覆部材および第２の被覆部材に形成した凹凸形状の間隔に応じて微調節も可能となる。
【００２０】
さらに製品の初期段階で直管型の蛍光灯を設置する構造として陳列棚が付帯している場合であっても、本発明の保持構造であれば、照明器具の保持構造のみを簡単に容易に交換することができるため、蛍光灯からＬＥＤ照明の変更も容易になる。
【発明を実施するための最良の形態】
【００２１】
図１は本発明の照明器具の保持装置を構成する各部品とその結合構造を示しており、図中の６は円筒状の直管型の照明器具であり、通常用いられる直管型蛍光灯と形状が同じものを代表例としている。
【００２２】
また、図では示していないが、照明器具６は、片側に電気を供給するためのリード線が設けられる場合もある。
【００２３】
図１における７は本発明を構成する第１の被覆部材で、照明器具６の端部に被覆するものであり、さらに第１の被覆部材７の上に第２の被覆部材８が被覆される構造としている。
【００２４】
第２の被覆部材８は図では、第１の被覆部材７と同じ環状の構造としており、第２の被覆部材被覆部材の内周面には、図２に示す通り矩形状の凹凸部８ａを形成させている。
【００２５】
これら凹部あるいは凸部は、それらの間隔数が３０ないし４８となるように（当該被覆部材断面の中心軸に対し８度から１２度となる間隔で）形成している。
【００２６】
また図１では、この第１の被覆部材７は、照明器具６の片側の端部を塞ぐように装着されているが、照明器具端部にリード線を設ける場合があるため、リード線を通す穴が形成してもよく、あるいは第１の被覆部材７自身は環状の構造をしていてもよい。
【００２７】
なお、第１の被覆部材７の外周に形成させた突起７ａは、 第２の被覆部材８の内周面に設けた凹凸部８ａに相対するように同じ形状としている。
【００２８】
図１記載の９はランプホルダーで、その括弧状に向き合うに二本の足９ａを利用し、直管型の蛍光灯を使用する場合、蛍光灯を二本の足９ａで直接は挟むように保持するものである。また、ホルダーの頭部９ｂには、ショーケースの陳列棚５の裏側などにビス止め固定するための穴９ｃが設けられている。
【００２９】
図２は、図１に記載した照明器具６、 第１の被覆部材７、 第２の被覆部材８、ランプホルダー９を組み合わせて、円筒管状のＬＥＤ照明器具６を保持する際の構造を示している。
【００３０】
ランプホルダー９は、ショーケースでは陳列棚に蛍光灯を搭載する場合と同じものを用い、第２の被覆部材を二本の足９ａで挟み込み保持するので、蛍光灯からＬＥＤ照明器具への変更が容易になる。
【図面の簡単な説明】
【００３１】
【図１】本発明の実施形態を示す陳列棚の照明器具の保持装置の部品の展開図である。
【図２】本発明の実施形態を示す第１の被覆部材と第２の被覆部材の結合部の断面図である
【図３】この発明の照明器具の保持装置が載置されるショーケースの全体図である。
【符号の説明】
【００３２】
１ショーケースの本体
２冷気循環風路
３冷却器（エバポレータ）
４送風ファン
５陳列棚
６照明器具
７第１の被覆部材
７ａ突起
８第２の被覆部材
８ａ凹凸部
９ランプホルダー
９ａ足
９ｂ頭部
９ｃビス穴
【図１】
2012200405.tif 000003
【図２】
2012200405.tif 000004
【図３】
2012200405.tif 000005